(57)【要約】【課題】クッション体の周縁の捲れを防止する。全体の厚さに対するクッション部分の厚さの割合を大きくする。【解決手段】周縁が表側に斜めに折り曲げられた傾斜部１ａとなる板状のコア１と、コア１の表側面１ｄに成型され、傾斜部１ａを乗り越えて傾斜部１ａの裏側に回り込んだ末広部２ａを有するクッション体２と、コア１と末広部２ａを裏側から覆うベース３を備えている。【選択図】図１
2010094448.tif 000002
【特許請求の範囲】
【請求項１】
周縁が表側に斜めに折り曲げられた傾斜部となる板状のコアと、前記コアの表側面に成型され、前記傾斜部を乗り越えて前記傾斜部の裏側に回り込んだ末広部を有するクッション体と、前記コアと前記末広部を裏側から覆うベースを備えることを特徴とする椅子のクッション構造体。
【請求項２】
前記ベースは、前記末広部の側面を支持する凸部を有することを特徴とする請求項１記載の椅子のクッション構造体。
【請求項３】
前記傾斜部には前記クッション体の成型時に材料の通り抜けを可能にする孔が設けられていることを特徴とする請求項１記載の椅子のクッション構造体。
【請求項４】
前記傾斜部の先端部分が外側に向けて折り曲げられていることを特徴とする請求項１記載の椅子のクッション構造体。
【請求項５】
前記コアはランバーサポートのインナーシェルであり、前記ベースはランバーベースであり、前記クッション体はランバーサポートのクッション体であることを特徴とする請求項１記載の椅子のクッション構造体。
【発明の詳細な説明】
【技術分野】
【０００１】
本発明は、椅子のランバーサポートや肘掛け等のクッション構造体に関する。更に詳しくは、本発明は、コアの表側面にクッション体を成型するタイプの椅子のクッション構造体に関するものである。
【背景技術】
【０００２】
椅子のクッション構造体として、例えばランバーサポートがある。ランバーサポートとして、例えば特開２００４−４９６５６号公報に開示されたものがある。このランバーサポート１０１を図４に示す。ランバーサポート１０１は、ランバーサポート本体１０２とクッション部材１０３より構成されている。クッション部材１０３は台板１０４の前面にクッション材１０５を成形したもので、クッション材１０５の周縁は台板１０４の裏側に回り込んでいる。
【０００３】
クッション部材１０３はランバーサポート本体１０２の前側面に抜け止め部材１０６によって係止されている。このとき、クッション部材１０３は、その台板１０４の裏面のクッション材１０５の周縁が回り込んでいない部分をランバーサポート本体１０２の前側面にぴったりと重ね合わせている。したがって、クッション材１０５の台板１０４裏側に回り込んだ部分（以下、単に回り込み部分１０５ａという）はランバーサポート本体１０２に覆われておらず、露出している。
【０００４】
ランバーサポート１０１は、背支桿１１２に取り付けられたランバーサポート支持部１１１に取り付けられて支持されている。
【０００５】
また、別のタイプのランバーサポート１０７を図５に示す。このランバーサポート１０７は、周縁が裏側に斜めに折り曲げられているインナーシェル１０８の表側面にクッション体１０９が発泡成形されている。クッション体１０９の周縁部１０９ａはインナーシェル１０８の裏側に回り込まされている。インナーシェル１０８の裏側にはランバーベース１１０が取り付けられている。
【０００６】
【特許文献１】特開２００４−４９６５６号
【発明の開示】
【発明が解決しようとする課題】
【０００７】
しかしながら、図４のランバーサポート１０１では、クッション材１０５の回り込み部分１０５ａが露出しており保護されていないため、椅子の使用者が例えば背支桿等を掴もうとした場合等に指が回り込み部分１０５ａに当ってこれを捲ることがあり、クッション材１０５が台板１０４から剥がれてしまう虞がある。
【０００８】
また、図５のランバーサポート１０７では、インナーシェル１０８のシェル本体１０８ａとランバーベース１１０との間に空間１１３が発生するため、ランバーサポート１０７全体の厚さＴが厚くなる割にはクッション体１０９自体の厚さｔを厚くするのが困難である。
【０００９】
本発明は、クッション体の周縁部の捲れを防止することができる椅子のクッション構造体を提供することを目的とする。また、本発明は、全体の厚さに対するクッション部分の厚さの割合を大きくすることができる椅子のクッション構造体を提供することを目的にする。
【課題を解決するための手段】
【００１０】
かかる目的を達成するために請求項１記載の椅子のクッション構造体は、周縁が表側に斜めに折り曲げられた傾斜部となる板状のコアと、コアの表側面に成型され、傾斜部を乗り越えて傾斜部の裏側に回り込んだ末広部を有するクッション体と、コアと末広部を裏側から覆うベースを備えるものである。
【００１１】
したがって、クッション体の周縁である末広部がベースによって保護される。クッション体成型前のコアにおいて傾斜部の裏側の空間は傾斜部の先端側から奥側に行くほど広くなるので、この空間に成型された末広部は奥に行くほど広がる形状、即ちこの空間から抜け難い形状となる。コアの傾斜部はコアの表側に向けて折り曲げられているので、コアの本体部分をベースに重ね合わせることができる。コアの傾斜部はコアの周縁全周に亘り形成されていても良いし、部分的に形成されていても良い。
【００１２】
また、請求項２記載の椅子のクッション構造体は、ベースは、末広部の側面を支持する凸部を有している。したがって、凸部によってクッション体の末広部が保護される。クッション体の末広部は傾斜部の裏側に形成されているので、末広部を捲るには末広部を外側に移動させる必要がある。凸部は末広部の外側への移動を防止する。
【００１３】
また、請求項３記載の椅子のクッション構造体は、傾斜部にはクッション体の成型時に材料の通り抜けを可能にする孔が設けられている。したがって、クッション体の成型時に材料が孔を通り抜けて傾斜部の裏面側に流入する。また、傾斜部を挟んで表裏両面のクッション体が孔内のクッション体によって連結される。
【００１４】
また、請求項４記載の椅子のクッション構造体は、傾斜部の先端部分が外側に向けて折り曲げられているものである。したがって、末広部の付け根部分が傾斜部の先端部分によって係止される。
【００１５】
さらに、請求項５記載の椅子のクッション構造体は、コアはランバーサポートのインナーシェルであり、ベースはランバーベースであり、クッション体はランバーサポートのクッション体であることを特徴としている。したがって、ランバーサポートが構成される。
【発明の効果】
【００１６】
請求項１記載の椅子のクッション構造体では、クッション体の周縁である末広部がベースによって保護されるので、クッション構造体の付近に裏側から指等が差し込まれた場合であっても、指等が末広部に当たり難くなり、クッション体の周縁を捲れ難くすることができる。また、クッション体がコアの傾斜部を巻き込んでおり、しかも末広部は傾斜部の裏側から抜け難い形状を成しているので、クッション体をコアから剥がれ難くすることができる。さらに、コアの本体部分とベースを重ね合わせることができるので、全体の厚みに対するクッション体の厚みの割合を大きくすることができ、クッション体の厚みを十分に確保してもクッション構造体全体の厚みがそれ程厚くなることはない。
【００１７】
また、請求項２記載の椅子のクッション構造体では、末広部を更に凸部によっても保護することができるで、指等が末広部により一層当たり難くなり、クッション体の周縁をより一層捲れ難くすることができる。また、たとえ指等が末広部に当ったとして凸部が末広部を外側から、即ち捲れを防止する方向から支持しているので、この点からもクッション体の周縁をより一層捲れ難くすることができる。
【００１８】
また、請求項３記載の椅子のクッション構造体では、孔を通じて傾斜部の表側と裏側のクッション体を連結することができるので、クッション体をコアからより一層剥がれ難くすることができる。また、クッション体の成型時に傾斜部の裏側に材料を充填するのが容易になる。
【００１９】
また、請求項４記載の椅子のクッション構造体では、傾斜部の先端部分によって末広部の付け根部分を係止することができるので、クッション体をコアからより一層剥がれ難くすることができる。
【００２０】
さらに、請求項５記載の椅子のクッション構造体では、クッション体の周縁が捲れ難く、且つ全体の厚みに対するクッション体の厚みの割合を大きくすることができるランバーサポートを提供することができる。
【発明を実施するための最良の形態】
【００２１】
以下、本発明の構成を図面に示す最良の形態に基づいて詳細に説明する。
【００２２】
図１〜図３に、本発明の椅子のクッション構造体の実施形態の一例を示す。椅子のクッション構造体は、周縁が表側に斜めに折り曲げられた傾斜部１ａとなる板状のコア１と、コア１の表側面に成型され、傾斜部１ａを乗り越えて傾斜部１ａの裏側に回り込んだ末広部２ａを有するクッション体２と、コア１と末広部２ａを裏側から覆うベース３を備えるものである。本実施形態では、ランバーサポートに適用する場合を例に説明する。ただし、適用できるものはランバーサポートに限るものではなく、例えば肘掛け等のクッション機能を有する身体支持部材であれば適用可能である。ランバーサポートに適用する場合には、コア１はインナーシェルであり、ベース３はランバーベースである。
【００２３】
コア１は、例えば樹脂成型品である。傾斜部１ａはコア１の周縁に設けられている。本実施形態では、コア１周縁の全周に亘り傾斜部１ａが設けられている。ただし、全周に亘り傾斜部１ａを設ける必要はなく、部分的に傾斜部１ａを設けるようにして良い。本実施形態では、傾斜部１ａの先端部分１ｂが外側（図１，図２において上方又は下方）に向けて更に折り曲げられている。ただし、傾斜部１ａの先端部分１ｂを外側に向けて折り曲げなくても良い。傾斜部１ａにはクッション体２の成型時に材料の通り抜けを可能にする孔１ｃが、周縁に沿って所定間隔で複数設けられている。コア１の表側面１ｄには、ベース３を例えばねじ止めするための円筒部１ｅが複数設けられている。円筒部１ｅの孔はコア１の裏側面１ｆに開口しており、内周面には雌ねじが切られている。
【００２４】
クッション体２は、コア１の表側面１ｄに例えば発泡成形されている。クッション体２の周縁は傾斜部１ａを乗り越えて傾斜部１ａの裏側で広がり末広部２ａとなっている。
【００２５】
ベース３は、例えば樹脂成型品である。ベース３の周縁には、末広部２ａの側面を支持する凸部３ａが設けられている。凸部３ａは、例えば末広部２ａの底部近傍を外側から支持している。ただし、凸部３ａを高く形成し、末広部２ａを支持する面積を拡大しても良く、逆に、凸部３ａを低く形成し、末広部２ａを支持する面積を減少させても良い。凸部３ａと傾斜部１ａとによって末広部２ａの付け根部分（コア１の表側面１ｄ側の部分との連結部分）の厚さを減少させている。凸部３ａはベース３周縁の全周に亘り設けられている。ただし、必ずしも凸部３ａをベース３周縁の全周に設ける必要はなく、部分的に設けても良い。ベース３はコア１と末広部２ａの裏面に重ね合わされて、例えばベース３にねじ止めされている。ベース３には、例えば椅子の背フレームや背支桿等に取り付けるための取付板４が取り付けられている。
【００２６】
このクッション構造体では、クッション体２の周縁である末広部２ａがベース３と当該ベース３に設けられた凸部３ａとによって保護される。したがって、クッション構造体の付近に裏側から指等が差し込まれた場合であっても、指等が末広部２ａに当たり難くなり、また、たとえ当ったとしても凸部３ａが末広部２ａを外側から、即ち捲れを防止する方向から支持しているので、クッション体２の周縁を捲れ難くすることができる。
【００２７】
また、クッション体２がコア１の傾斜部１ａを巻き込んでおり、しかも末広部２ａはその付け根部分よりも奥側が厚くなっており傾斜部１ａの裏側から抜け難い形状を成しているので、クッション体２をコア１から剥がれ難くすることができる。さらに、傾斜部１ａの先端部分１ｂを外側に折り曲げているので、末広部２ａの付け根部分を係止することができ、この点からもクッション体２をコア１から剥がれ難くすることができる。また、傾斜部１ａの先端部分１ｂを外側に折り曲げることで、末広部２ａの付け根部分を薄くし、奥側を厚くし易くなる。
【００２８】
また、傾斜部１ａには孔１ｃが設けられているので、孔１ｃを通じて傾斜部１ａの表側と裏側のクッション体２を連結することができ、クッション体２をコア１からより一層剥がれ難くすることができると共に、クッション体２の成型時に傾斜部１ａの裏側の空間に材料を充填するのが容易になる。
【００２９】
さらに、コア１とベース３を重ね合わせることができるので、全体の厚みＴに対するクッション体２の厚みｔの割合を大きくすることができ、クッション体２の厚みｔを十分に確保してもクッション構造体全体の厚みＴがそれ程厚くなることはない。換言すると、クッション構造体を薄くしても、クッション体２の厚さｔの確保が容易であり、クッション性の確保が容易である。
【００３０】
例えば、ランバーサポート（クッション構造体）を背もたれの前面に配置する場合には、ランバーサポートの背もたれからの突出量を大きくするのが困難であり、ランバーサポート全体の厚みＴを厚くするのが難しい。一方、クッション体２の潰れ量を確保しクッション性能を向上させるためには、クッション体２の厚みｔをある程度大きくする必要がある。本発明では、全体の厚みＴに対するクッション体２の厚みｔの割合を大きくすることができるので、全体の厚みＴの増加を抑えつつ、クッション体２の厚みｔを確保し、小型化とクッション性の向上とをともに高レベルで両立させることができる。したがって、背もたれの前面への配置に適したランバーサポートを提供することができる。ただし、背もたれの前面に配置するランバーサポートに限るものではなく、背もたれの後に配置するランバーサポートであっても良い。
【００３１】
なお、上述の形態は本発明の好適な形態の一例ではあるがこれに限定されるものではなく本発明の要旨を逸脱しない範囲において種々変形実施可能である。
【００３２】
例えば、上述の説明ではベース３に凸部３ａを設けていたが、凸部３ａを省略しても良い。凸部３ａが無くてもベース３によって末広部２ａを保護することができる。
【００３３】
また、上述の説明では、コア１の傾斜部１ａに孔１ｃを設けていたが、クッション体２の成型時に傾斜部１ａの裏側への材料の充填が可能な場合等には孔１ｃを設けなくても良い。
【００３４】
また、上述の説明では、椅子のランバーサポートに適用していたが、ランバーサポート以外のクッション機能を有する身体支持部材に適用しても良い。例えば肘掛けに適用しても良い。
【００３５】
さらに、上述の説明では、コア１及びベース３を樹脂製にしていたが、必ずしも樹脂製に限るものではなく、例えば金属製等にしても良い。例えば肘掛け等に適用する場合には、ベース３に強度が必要な場合がある。このような場合には、金属製のベース３を使用し、肘掛けとしての強度を確保するようにしても良い。同様に、コア１に強度が必要な場合等にはコア１を例えば金属製等にしても良い。
【００３６】
また、上述の説明では、ベース３とコア１とを重ね合わせるようにしていたが、例えば強度確保のためにベース３の表側面１ｄにリブを設け、リブの先端にコア１を取り付けても良い。
【図面の簡単な説明】
【００３７】
【図１】本発明の椅子のクッション構造体の実施形態の一例を示し、図３のＩ−Ｉ線に沿う断面図である。
【図２】同クッション構造体を示し、図３のII−II線に沿う断面図である。
【図３】同クッション構造体を示す正面図である。
【図４】従来のクッション構造体を示す断面図である。
【図５】従来の別のクッション構造体を示す断面図である。
【符号の説明】
【００３８】
１  コア
１ａ  傾斜部
１ｂ  傾斜部の先端部分
１ｃ  傾斜部の孔
２  クッション体
２ａ  末広部
３  ベース
３ａ  ベースの凸部
【図１】
2010094448.tif 000003
【図２】
2010094448.tif 000004
【図３】
2010094448.tif 000005
【図４】
2010094448.tif 000006
【図５】
2010094448.tif 000007